(57)【要約】【課題】かご上手摺りの組立て、収納を容易、かつ安全に行うことのできるエレベータのかご上手摺り装置の提供。【解決手段】昇降路を昇降する乗かご１の上面に設けられ、乗かご１上面の両側の外周部に沿って設置される一対の第１手摺り部２、および第１手摺り部２に回動可能に接続される第２手摺り部３を有し、通常時は倒伏形態に保持されるとともに、保守作業時には起立形態に保持されるエレベータのかご上手摺り装置において、第２手摺り部３の回動を制限するストッパ１０を設け、第１手摺り部２を起立および倒伏する際、第２手摺り部３が第１手摺り部２と同期して動くようにしたものである。【選択図】図１
2008308269.tif 000002
【特許請求の範囲】
【請求項１】
昇降路を昇降する乗かごの上面に設けられ、前記乗かご上面の両側の外周部に沿って設置される一対の第１手摺り部、および第１手摺り部に回動可能に接続される第２手摺り部を有し、通常時は倒伏形態に保持されるとともに、保守作業時には起立形態に保持されるエレベータのかご上手摺り装置において、
前記第２手摺り部の回動を制限するストッパを設けたことを特徴とするエレベータのかご上手摺り装置。
【請求項２】
前記ストッパは、前記第１手摺り部にスライド可能に設置されることを特徴とする請求項１記載のエレベータのかご上手摺り装置。
【請求項３】
前記ストッパは、前記第１手摺り部に回転可能に設置されることを特徴とする請求項１記載のエレベータのかご上手摺り装置。
【請求項４】
前記ストッパは、前記第２手摺り部にスライド可能に設置されることを特徴とする請求項１記載のエレベータのかご上手摺り装置。
【請求項５】
前記ストッパは、前記第２手摺り部に回転可能に設置されることを特徴とする請求項１記載のエレベータのかご上手摺り装置。
【請求項６】
前記ストッパは、略コの字状の断面を有することを特徴とする請求項１記載のエレベータのかご上手摺り装置。
【発明の詳細な説明】
【技術分野】
【０００１】
本発明は、エレベータの乗りかごの上面に配置され、作業員の転落防止用に活用されるエレベータのかご上手摺り装置に関する。
【背景技術】
【０００２】
一般に、昇降路内機器の保守作業は保守員が乗かご上部に乗り込み、乗かごを低速にて運転および停止させながら行われる。このような保守作業時における保守員の安全を確保するためのエレベータのかご上手摺り装置として、従来、一対の第１手摺り部と、第１手摺り部に回動可能に接続される第２手摺り部とから形成され、通常時は倒伏形態に保持されるとともに、保守作業時には起立形態に保持される組立て式のものとし、昇降路頂部寸法を小さく設定可能としたものが知られていた（例えば、特許文献１参照）。
【特許文献１】特開２００５−１３２５４７号公報（段落番号００１７〜段落番号００２３、図１）
【発明の開示】
【発明が解決しようとする課題】
【０００３】
しかしながら、前述した従来のものでは、保守員が第１手摺り部を組立てる際に、回動可能に接続された第２手摺り部が第１手摺り部と同期して動かないために組立て作業が煩雑となったり、組立てる際に第２手摺り部が勢い余って外側に倒れてしまい、昇降路機器に衝突したり、併設エレベータにあっては、隣接するエレベータの乗かご等に衝突したりする恐れがあった。
【０００４】
本発明は、前述した従来技術における実状からなされたもので、その目的は、かご上手摺りの組立て、収納を容易、かつ安全に行うことのできるエレベータのかご上手摺り装置を提供することにある。
【課題を解決するための手段】
【０００５】
前記目的を達成するために、本発明の請求項１に係る発明は、昇降路を昇降する乗かごの上面に設けられ、前記乗かご上面の両側の外周部に沿って設置される一対の第１手摺り部、および第１手摺り部に回動可能に接続される第２手摺り部を有し、通常時は倒伏形態に保持されるとともに、保守作業時には起立形態に保持されるエレベータのかご上手摺り装置において、前記第２手摺り部の回動を制限するストッパを設けたことを特徴としている。
【０００６】
このように構成した本発明の請求項１に係る発明は、通常時、第２手摺り部はストッパにより回動を制限され、第１手摺り部に対して固定されている。これにより保守員が第１手摺り部を起立および倒伏する際、第２手摺り部は第１手摺り部と同期して動く。また、第２手摺り部の起立および倒伏は、ストッパによる第２手摺り部の回動制限を一時的に解除し、第２手摺り部を所定方向に回動させて行う。これによって、かご上手摺りの組立て、収納を容易、かつ安全に行うことができる。
【０００７】
また、本発明の請求項２に係る発明は、前記ストッパは、前記第１手摺り部にスライド可能に設置されることを特徴としている。このように構成した本発明の請求項２に係る発明は、前記第１手摺り部の前記ストッパをスライドさせるという簡単な操作で前記第２手摺り部の回動制限、および回動制限の解除を行うことできるので、かご上手摺りの組立て、収納を容易に行うことできる。
【０００８】
さらに、本発明の請求項３に係る発明は、前記ストッパは、前記第１手摺り部に回転可能に設置されることを特徴としている。このように構成した本発明の請求項３に係る発明は、前記第１手摺り部の前記ストッパを回転させるという簡単な操作で前記第２手摺り部の回動制限、および回動制限の解除を行うことできるので、かご上手摺りの組立て、収納を容易に行うことできる。
【０００９】
さらにまた、本発明の請求項４に係る発明は、前記ストッパは、前記第２手摺り部にスライド可能に設置されることを特徴としている。このように構成した本発明の請求項４に係る発明は、前記第２手摺り部の前記ストッパをスライドさせるという簡単な操作で前記第２手摺り部の回動制限、および回動制限の解除を行うことできるので、かご上手摺りの組立て、収納を容易に行うことできる。
【００１０】
また、本発明の請求項５に係る発明は、前記ストッパは、前記第２手摺り部に回転可能に設置されることを特徴としている。このように構成した本発明の請求項５に係る発明は、前記第２手摺り部の前記ストッパを回転させるという簡単な操作で前記第２手摺り部の回動制限、および回動制限の解除を行うことできるので、かご上手摺りの組立て、収納を容易に行うことできる。
【００１１】
さらに、本発明の請求項６に係る発明は、前記ストッパは、略コの字状の断面を有することを特徴としている。このように構成した本発明の請求項６に係る発明は、略コの字状の断面を有する前記ストッパで前記第２手摺り部を挟み込み、前記第２手摺り部の回動を制限する。これによって、前記ストッパは前記第２手摺り部を確実に保持し、第２手摺り部を第１手摺り部の動きに同期させることができる。
【発明の効果】
【００１２】
本発明によれば、第１手摺り部および第２手摺り部が同期して動くことを可能とするとともに、必要時にのみ第２手摺り部の回動を可能とすることで、かご上手摺りの組立て、収納を容易、かつ安全に行うことができる。これによって、保守作業に要する労力および時間を低減することができるとともに、手摺り部が不測の動きをすることに伴う事故や、他の機器との接触を防ぐことができる。
【発明を実施するための最良の形態】
【００１３】
以下、本発明に係るエレベータのかご上手摺り装置の実施の形態を図に基づいて説明する。
【００１４】
図１は本発明に係るエレベータのかご上手摺り装置の第１の実施形態を示す側面図、図２は第２手摺り部を回動制限している状態を示す要部拡大図、図３は第２手摺り部を回動自由としている状態を示す要部拡大図、図４〜図７は本実施形態の組立て手順を示す図で、図４はエレベータのかご上手摺りの組立て前の状態を示す斜視図、図５は第１手摺り部の組立て後の状態を示す斜視図、図６は一対の第１手摺り部を組立てた後に、下側の第２手摺り部を組立てた状態を示す斜視図、図７はエレベータのかご上手摺りの組立て完了後の状態を示す斜視図である。
【００１５】
第１の実施形態のエレベータのかご上手摺り装置は図７に示すように、乗かご１の上面の両側の外周部に沿って一対の第１手摺り部２を備えるとともに、乗かご１の上面の背面側の外周部に沿って第２手摺り部３を備えている。この第２手摺り部３は第１手摺り部２に回動自由に支持されている。また、一対の第１手摺り部２はそれぞれ図１に示すように、上段横桟２ａ、下段横桟２ｂ、および２本の縦桟２ｃとを有しているとともに、縦桟２ｃは乗かご１に回動自由に接続されている。さらに、第２手摺り部３は、上段横桟３ａおよび下段横桟３ｂに分割形成され、上段横桟３ａは支点４ａにより第１手摺り部２の横桟２ａに、下段横桟３ｂは支点４ｂにより第１手摺り部２の上段横桟２ｂにそれぞれ回動自由に支持されている。
【００１６】
また、第１手摺り部２には、第２手摺り部３の回動を制限するストッパ１０が設けられている。そして、ストッパ１０は図２に示すように、略コの字状の断面を有するとともに、横桟２ａの端部にスライド可能に挿入されている。また、ストッパ１０は、内側寸法を第２手摺り部３の下段横桟３ｂと同等の寸法としているので、下段横桟３ｂをほぼ間隙なく挟み込むことで確実に回動制限することが可能となっている。また、略コの字状のストッパ１０の一辺１０ｂが支点４ａに当接することにより行き過ぎを防止し、脱落を防止するようになっている。さらに、図３に示すようにストッパ１０には折返し部１０ａが設けられているのでつまみ部として有効であり、作業をより容易なものしている。さらにまた、第２手摺り部３の回動制限を解除するために略コの字状のストッパ１０をスライドさせる際に、折返し部１０ａが第１手摺り部２ａ端部に当接することにより、ストッパ１０が回動制限解除位置に達したことがわかり、第２手摺り部３をストッパ１０に接触させることなく、円滑に回動することができる。
【００１７】
次に、かご上手摺りの組立ての手順を図４〜図７を用いて説明する。
【００１８】
保守作業が実施されない通常時は、図４に示すように第１手摺り部２、第２手摺り部３ともに倒伏形態に保持されている。そして、保守作業を実施する場合、保守員は乗かご１の上面に乗り込む前に、乗り場の床面から第１手摺り部２を掴んで持ち上げる。これにより、図５のように第１手摺り部２の片側が起立保持される。次に反対側の第１手摺り部２を掴んで持ち上げることで、図示はしないが両側の第１手摺り部２が起立保持される。この状態において、保守員は乗かご１の上面に乗り込み、背面側の例えば第２手摺り部３の下段横桟３ｂを固定している略コの字状のストッパ１０を乗り場方向にスライドさせ、下段横桟３ｂの回動制限を解除し、下段横桟３ｂを鉛直方向の下方に向けて回動する。この一連の動作を対となる第２手摺り部３のそれぞれで行うことで、図６に示すようにそれぞれの下段横桟３ｂの端部が対向して直線を成すとともに、第１手摺り部２の下段横桟２ｂおよび第２手摺り部３の下段横桟３ｂで略コの字状の柵を形成する。次いで、保守員は対となる第２手摺り部３のそれぞれの上段横桟３ａを水平方向に回動させ、双方の端部を対向させる。これによって、図７に示すように第１手摺り部２の上段横桟２ａおよび第２手摺り部３の上段横桟３ａで略コの字状の柵を形成する。なお、かご上手摺りの収納方法は上述した組立て方法の逆の手順で行う。
【００１９】
このように構成した第１の実施形態によれば、第２手摺り部３はストッパ１０により回動を制限され、第１手摺り部２に対して固定されているので、保守員が第１手摺り部２を起立および倒伏する際、第２手摺り部３は第１手摺り部２と同期して動き、これによって、かご上手摺りの組立て、収納を容易、かつ安全に行うことができる。また、ストッパ１０は第１手摺り部２にスライド可能に設置してあるので、かご上手摺りの組立て、収納を工具を用いることなく容易に行うことできる。さらに、略コの字状の断面を有するストッパ１０で第２手摺り部３を挟み込むことから、ストッパ１０は第２手摺り部３を確実に保持し、第２手摺り部３を第１手摺り部２の動きに同期させることができる。さらにまた、第２手摺り部３の下段横桟３ｂが回動制限状態にあるとき、略コの字状の断面を有するストッパ１０および第１手摺り部２の端部で下段横桟３ｂの四方を囲うことで、例えば図１に示す状態にあるときに誤って下段横桟３ｂに回動方向と直交する方向に力を加えても、ストッパ１０および第１手摺り部２の端部でその力を受けとめ、下段横桟３ｂの支点４ｂが破損することを防止することもできる。
【００２０】
図８は本発明に係るエレベータのかご上手摺り装置の第２の実施形態を示す側面要部拡大図、図９は第２手摺りを回動制限している状態を示す要部拡大図である。なお、前述したものと同等のものには同一符号が付してある。
【００２１】
第２の実施形態のかご上手摺り装置は図８、９に示すように、第１手摺り部２に、第２手摺り部３の回動を制限するストッパ１１をスライド可能に内設するとともに、第１手摺り部２の側面に切欠き穴２ｆを形成し、かつ、第２手摺り部３の下段横桟３ｂにストッパ１１の端部が嵌合する穴２０ａを設けたものである。
【００２２】
第２の実施形態のかご上手摺り装置にあっては、切欠き穴２ｆを介してストッパ１１をスライドさせ、ストッパ１１の端部を下段横桟３ｂの穴２０ａに嵌合し、下段横桟３ｂの回動を制限する。一方、切欠き穴２ｆを介してストッパ１１を矢印方向にスライドさせ、ストッパ１１の端部を穴２０ａから引抜くことで、下段横桟３ｂの回動制限を解除する。なお、操作しやすいようにストッパ１１につまみを設けても良い。この第２の実施形態も前述した第１の実施形態と同様の作用効果を得ることができる。
【００２３】
図１０は本発明に係るエレベータのかご上手摺り装置の第３の実施形態を示す側面要部拡大図、図１１は第２手摺り部を回転制限している状態を示す要部拡大図である。なお、前述したものと同等のものには同一符号が付してある。
【００２４】
第３の実施形態のかご上手摺り装置は図１０、１１に示すように、第１手摺り部２の上段横桟２ａ上面に切欠き穴２ｈを設け、この切欠き穴２ｈに第２手摺り部３の回動を制限するストッパ１２を回転自在に設置したものである。
【００２５】
第３の実施形態のかご上手摺り装置にあっては、図１０、１１に示す状態からストッパ１２を切欠き穴２ｈの内壁に当接する位置まで上方に回転させることで、第２手摺り部の下段横桟３ｂの回動制限を解除する。一方、第１手摺り部２が起立状態にあるとき、ストッパ１２を多少斜めにし、手を離すことで自重により下方に回転させ、図１０、１１に示すように下段横桟３ｂを挟込み、この下段横桟３ｂの回動を制限する。このとき、ストッパ１２は第１手摺り部２の下面に当接することから、行き過ぎることがない。この第３の実施形態も前述した第１、２の実施形態と同様の作用効果を得ることができる。
【００２６】
図１２は本発明に係るエレベータのかご上手摺り装置の第４の実施形態を示す要部拡大斜視図である。なお、前述したものと同等のものには同一符号が付してある。
【００２７】
第４の実施形態のかご上手摺り装置は図１２に示すように、第２手摺り部３の下段横桟３ｂに、この下段横桟３ｂの回動を制限するストッパ１３をスライド可能に設けているとともに、第１手摺り部２の上段横桟２ａにストッパ１３が嵌合する穴２０ｂを形成したものである。
【００２８】
第４の実施形態のかご上手摺り装置にあっては、ストッパ１３をスライドさせ、図１２に示すようにストッパ１３の端部を上段横桟２ａの穴２０ｂに嵌合することにより下段横桟３ｂの回動を制限する。なお、この動作を第１手摺り部２が起立状態にあるときに行うことで、ストッパ１３は手を離すだけで、上段横桟２ａの穴２０ｂへの嵌合を行うことができる。一方、ストッパ１３を図１２にある状態から上方にスライドさせ、ストッパ１３の端部を上段横桟２ａの穴２０ｂから引抜くことで下段横桟３ｂの回動制限を解除する。この第４の実施形態も前述した第１〜３の実施形態と同様の作用効果を得ることができる。
【００２９】
図１３は本発明に係るエレベータのかご上手摺り装置の第５の実施形態を示す要部拡大斜視図である。
【００３０】
第５の実施形態のかご上手摺り装置は図１３に示すように、第２手摺り部３の下段横桟３ｂに、第２手摺り部３の回動を制限するストッパ１４を回転自在に設置したものである。このストッパ１４は、略コの字状の断面を有し、対向する２つの片にその端部が接続される図示しない軸を介して下段横桟３ｂに取付けられるとともに、対向する２つの片で図に示すように第１手摺り部２の上段横桟２ａを把持することで第２手摺り部３の下段横桟３ｂの回動を制限する。また、ストッパ１４の連結片１４ａを図に示すように細くし、かつ、連結片１４ａと前述した軸との間隔を所定の値とすることにより、図に示す位置から矢印方向に回転させ、連結片１４ａを下段横桟３ｂの面に当接させることでストッパ１４を位置決めし、下段横桟３ｂの回動制限を解除することができる。この第５の実施形態も前述した第１〜４の実施形態と同様の作用効果を得ることができる。
【図面の簡単な説明】
【００３１】
【図１】本発明に係るエレベータのかご上手摺り装置の第１の実施形態を示す側面図である。
【図２】第２手摺り部を回動制限している状態を示す要部拡大図である。
【図３】第２手摺り部を回動自由としている状態を示す要部拡大図である。
【図４】エレベータのかご上手摺りの組立て前の状態を示す斜視図である。
【図５】第１手摺り部の組立て後の状態を示す斜視図である。
【図６】一対の第１手摺り部を組立てた後に、下側の第２手摺り部を組立てた状態を示す斜視図である。
【図７】エレベータのかご上手摺りの組立て完了後の状態を示す斜視図である。
【図８】本発明に係るエレベータのかご上手摺り装置の第２の実施形態を示す側面要部拡大図である。
【図９】第２手摺りを回動制限している状態を示す要部拡大図である。
【図１０】本発明に係るエレベータのかご上手摺り装置の第３の実施形態を示す側面要部拡大図である。
【図１１】第２手摺り部を回転制限している状態を示す要部拡大図である。
【図１２】本発明に係るエレベータのかご上手摺り装置の第４の実施形態を示す要部拡大斜視図である。
【図１３】本発明に係るエレベータのかご上手摺り装置の第５の実施形態を示す要部拡大斜視図である。
【符号の説明】
【００３２】
１      乗かご
２      第１手摺り部
２ａ    上段横桟
２ｂ    下段横桟
２ｃ    縦桟
２ｆ    側面切欠き穴
２ｈ    上面切欠き穴
３      第２手摺り部
３ａ    上段横桟
３ｂ    下段横桟
４ａ    支点
４ｂ    支点
１０    ストッパ
１０ａ  折返し部
１１    ストッパ
１２    ストッパ
１３    ストッパ
１４    ストッパ
１４ａ  連結片
２０ａ  嵌合穴
２０ｂ  嵌合穴
【図１】
2008308269.tif 000003
【図２】
2008308269.tif 000004
【図３】
2008308269.tif 000005
【図４】
2008308269.tif 000006
【図５】
2008308269.tif 000007
【図６】
2008308269.tif 000008
【図７】
2008308269.tif 000009
【図８】
2008308269.tif 000010
【図９】
2008308269.tif 000011
【図１０】
2008308269.tif 000012
【図１１】
2008308269.tif 000013
【図１２】
2008308269.tif 000014
【図１３】
2008308269.tif 000015